(57)【特許請求の範囲】
【請求項１】
側壁と、この側壁の周縁から連なって前記側壁の裏面側に突出する外側周壁とで構成した蓋体と、上記外側周壁の下部辺縁の開放縁にヒンジを介し設けた側壁と、この側壁の下位辺縁以外の周縁から前記側壁の裏面側に突出すると共に、閉鎖にともない上記外側周壁の内側に嵌入する内側周壁とで構成した箱体とからなるケースにおいて、このケースの両側壁上縁全長に並列係合溝を設け、この並列係合溝に前記両側壁の離反阻止の係合状態に、かつ抜き差し自在に係合板を差し込んだことを特徴とする盗難防止機能付のケース。
【請求項２】
前記係合板と係合溝との対向面一方に係止孔を、他方に上記係合板の差し込みにともない押し戻され、かつ差し込み終了時に上記係止孔に嵌入係止するような係止片を設け、また上記係合板と係合溝との対向面間に上記係止片の押し戻し係合解除板の差し込み間隙を設けたことを特徴とする請求項１に記載の盗難防止機能付のケース。
【請求項３】
前記係合板と係合溝との対向面一方に係止孔を、他方に上記係合板の差し込みにともない押し戻され、かつ差し込み終了時に上記係止孔に嵌入係止するような係止片を設け、また上記係合板と係合溝との対向面間に上記係止片の押し戻し係合解除板の差し込み間隙を設け、さらに上記係合解除板の差し込み先行端に上記係合板の引き抜き掛合部を設けたことを特徴とする請求項１に記載の盗難防止機能付のケース。
【請求項４】
前記係合板と係合溝との対向面一方に係止孔を、他方に上記係合板の差し込みにともない押し戻され、かつ差し込み終了時に上記係止孔に嵌入係止するような係止片を設け、また上記係合板と係合溝との対向面間に上記係止片の押し戻し係合解除板の差し込み間隙を設け、さらにこの間隙内に突部を設けたことを特徴とする請求項１に記載の盗難防止機能付のケース。
【請求項５】
前記係合板に貫通孔を、前記外側周壁に上記係合板の差し込みにともない押し戻され、かつ差し込み終了時に上記貫通孔に嵌入係止する係止片を設けたことを特徴とする請求項１に記載の盗難防止機能付のケース。
【発明の詳細な説明】
【０００１】
【発明の属する技術分野】
この発明は、商品例えばレンタル商品を収納する盗難防止機能付のケースに関する。
【０００２】
【従来の技術】
従来のケースは、図２１に示すように、側壁１と、この側壁１の周縁から連なって側壁１の裏面側に突出する外側周壁２とで構成した蓋体３と、上記外側周壁２の下位辺壁の開放縁にヒンジ４を介し設けた側壁５と、この側壁５の下位辺縁以外の辺縁から連なって側壁５の裏面側に突出すると共に、閉鎖時に外側周壁２の内側に嵌入する内側周壁６とで構成した箱体７とからなる。
【０００３】
なお、外側周壁２の下位辺壁の両端を外側周壁２の両側辺壁の下端から切り離すと共に、外側周壁２の下位辺壁と側壁１の下縁とにヒンジ８を設けて、蓋体３の開放度合いが大きくなるようにしておくこともある。
上記のヒンジは、ハーフカット方式などが採用してある。
【０００４】
【発明が解決しようとする課題】
上記のような構成のケースによると、ケースに商品（レンタル商品のディスクなど）を収納して棚に陳列した際、ケースの開放が容易なため、ケースから商品が抜き取られる問題があった。
【０００５】
そこで、この発明の課題は、ケースの開放に手間がかかるようにして、すなわち、ちゅうちょさせて盗難防止に役だつようにしたものである。
【０００６】
【課題を解決するための手段】
上記の課題を解決するために、この発明は、側壁と、この側壁の周縁から連なって前記側壁の裏面側に突出する外側周壁とで構成した蓋体と、上記外側周壁の下部辺縁の開放縁にヒンジを介し設けた側壁と、この側壁の下位辺縁以外の周縁から前記側壁の裏面側に突出すると共に、閉鎖にともない上記外側周壁の内側に嵌入する内側周壁とで構成した箱体とからなるケースにおいて、このケースの両側壁上縁全長に並列係合溝を設け、この並列係合溝に前記両側壁の離反阻止の係合状態に、かつ抜き差し自在に係合板を差し込んだ構成を採用する。
【０００７】
また、係合板と係合溝との対向面一方に係止孔を、他方に上記係合板の差し込みにともない押し戻され、かつ差し込み終了時に上記係止孔に嵌入係止するような係止片を設け、また上記係合板と係合溝との対向面間に上記係止片の押し戻し係合解除板に差し込み間隙を設けた構成や、前記間隙内に突起を設けた構成、係合板に貫通孔を、前記外側周壁に上記係合板の差し込みにともない押し戻され、かつ差し込み終了時に上記科通孔に嵌入係止する係止片を設けた構成を採用することもある。
【０００８】
【発明の実施の形態】
この発明の実施の形態を添付図面に基づいて説明する。
【０００９】
この発明の第１の実施形態では、図１から図３に示すように、側壁１１と、この側壁１１の周壁から連なって側壁１１の裏面側に突出する外側周壁１２とで構成した蓋体１３と、外側周壁１２の下位辺縁の開放縁にヒンジ１４を介し設けた側壁１５と、この側壁１５の下位辺縁以外の辺縁部から側壁１５の裏面方向に突出すると共に、閉鎖にともない外側周壁１２の内側に嵌入する内側周壁１６とで構成した箱体１７とでケースＡを形成する。
【００１０】
上記のケースＡは、例えば合成樹脂製の成型により形成され、図示のように外側周壁１２の下位辺壁の両端の縁を外側周壁１２の両側辺壁の下縁に対し切り離すと共に、側壁１１の下縁にヒンジ１４を介し外側周壁１２の下位周壁を設けておくと、箱体１７に対する蓋体１３の開放度合いが大きくなる。このとき、外側周壁１２の下位辺壁（二条のヒンジ１４間の壁）が両側１１、１５の連結壁になる。ただし、上記ヒンジ１４の配置に限定されない。
【００１１】
なお、ヒンジ１４は、図示の場合ハーフカットにより設けたが、上記以外のヒンジであってもよい。
【００１２】
また、両側壁１１、１５の上縁全長には、並列係合溝１８、１８が設けてあり、この並列係合溝１８、１８には、両側壁１１、１５の離反阻止の係合状態に、かつ抜き差し自在に係合板１９が差し込まれている。
【００１３】
上記の並列係合溝１８、１８は、図示の場合両側壁１１、１５の上縁全長に７字状の屈曲板を連成して設け、係合板１９は、両係合溝１８に差し込む帯状体と、この帯状板の両側縁から連なって帯状体の上下方向に突出する上向きが屈曲板の溝に係合状態に嵌入し、下向きが外側周壁１２に当接する端面Ｈ形に形成したが、屈曲板にかえて並列する突出板の対向内面に蟻溝を、帯状板の両側面に蟻溝に嵌合する突条を（並列する突出板に突条を帯状板の両側に蟻溝を）設けたものなどであってもよい。要するに係合板１９の差し込みによって箱体１７と蓋体１３との開放を阻止するもので、当然ケースＡを傾けても係合板１９が抜け落ちない接触圧が作用するになっている。
【００１４】
なお、図示の場合箱体１７の側壁１５裏面中央に収納商品ａであるディスクのセンタ支持部（公知につき説明を省略する）を設けたが、かならずしも必要とせず、ディスク以外の品物を収納することがある。
【００１５】
上記のように構成すると、箱体１７に商品ａを収納して、箱体１７を蓋体１３により閉鎖する。
【００１６】
次いで、並列係合溝１８、１８に係合板１９を差し込んで（図２に示すように係合板１９の差し込み先行端の上向き突出部を片方短かく、もう片方若干長く先細り状にカットしておくと差し込みがスムーズになる）おくと、係合板１９と係合溝１８、１８との係合関係により箱体１７に対する蓋体１３の開放が阻止される。
【００１７】
すると、陳列してあるケースＡから商品ａを取り出そうとしても係合板１９の抜き取りが必要になるので、別途加わる抜き取りに手数がかかるのと、抜き取りをちゅうちょさせて商品の盗難を防止する。
【００１８】
この発明の第２の実施形態では、図４から図７に示すように第１の実施形態と同様の係合板１９と係合溝１８との対向面一方に係止片２１を、他方に係合板１９の差し込み時に係合板１９によって押し戻され、かつ差し込み終了時に係止孔２１に嵌入係止して図４左方向への係合板１９の抜き取りを阻止する係止片２２が設けてある。
【００１９】
なお、係合溝１８の係合板１９差し込み端の反対側や外側周壁１２の同位置に係合板１９の差し込み先行端に衝突させるストッパ（図示省略）を設けておくと、係合板１９の係合溝１８に対する通過スライドを止めることができる。
【００２０】
上記の係止孔２１及び係止片２２は、図示の場合係合板１９に係止孔２１を係合溝１８側の外側周壁１２に係止片２２を設けたが、逆に設けることも可能で、係止孔２１は打抜孔に限定されず図１３に示すような凹入孔でも可能で、係止片２２は、例えばＵ字状のスリット２３を入れて、このスリット２３の内側を押し出すと共に、樹脂のもつ特性により突出方向の弾力を付与したが、別部品の（ガイド筒や孔に組み込んだピンをバネにより押し出す方法）組み込みや取付けなどで設けることもある。
勿論係合溝１８の屈曲板内面と係合板１９の側面に係止孔２１及び係止片２２を設けることもできる。
【００２１】
また、係止孔２１と係止片２２との係合関係にある間隙Ｓには、係合板１９の差し込み方向と同方向に係合解除板２４を差し込んで、係合解除板２４の先端により係止片２２を押し戻して、係止片２２と係止孔２１との係合を解除するようになっている。
上記の間隙Ｓの形成手段は、図１１（Ｉ）、（ＩＩ）、（ＩＩＩ）に示す構成などが考えられる。
【００２２】
なお、係止孔２１及び係止片２２は、図示の三箇所に限定されず、数は自由である。
【００２３】
上記係止溝１８、係合板１９及びケースＡは、第１の実施形態と同様につき説明を省略する。
【００２４】
上記のように構成すると、係止溝１８に係合板１９を差し込んで箱体１７に対する蓋体１３の開放阻止をはかると共に、係合板１９の差し込み終了時に係止孔２１と、この係止孔２１に嵌入する係止片２２との係合関係（図６に示すように）により係合板１９の抜き取りを防止する。
【００２５】
商品ａの取出しに際しては、例えばレンタル店の場合、カウンタ内で店員により係合板１９の差し込み方向と同方向に係合解除板２４を（図５矢符に示すように、Ｈ形係合板１９の下側間隙Ｓに）を差し込む。
【００２６】
すると、係合解除板２４の差し込み先行端が係止片２２に噛むと、先行端により係止片２２を押し戻して係止片２１から係止片２２の先を脱出させ、係止孔２１と係止片２２との係合関係を解除（図７に示すように）するので、係合溝１８、１８から係合解除板２４と共に係合板１９を抜き取ることができる。
このため、蓋体１３の開放防止がなくなる。
【００２７】
なお、図８に示すような係合解除板２４の差し込み先行端に上記間隙Ｓを通過させて係合板１９の抜き取り掛合部２５を設けておくと、係合解除板２４の抜き取りと共に係合板１９を抜き取ることができる。
【００２８】
上記の掛合部２５は、先端延長を折り返して設け、係合解除板２４の差し込みにともない倒れて通過し、通過し終ると復元して係合板１９に掛合部２５が掛合（図９に示すように）し、そして図１０に示すように係合解除板２４を引き抜くと係合板１９が共に引き抜かれる。
勿論掛合部２５は、図示の折り返し以外に係合解除板２４の差し込み先行端係合板１９側の面にフック部などの引っかかりを突出させてもよい。
【００２９】
この発明の第３の実施形態では、図１２から図１５に示すように、第２の実施形態と同様の係合解除板２４の差し込み間隙Ｓ内には、突部５１が設けてある。
【００３０】
上記の突部５１は、図示の場合係合板１９の下面（外側周壁１２に対向する面）に設けたが、外側周壁１２の表面或いは係合溝１８の屈曲板内面に設けることも可能で、突部５１の位置は係止孔２１の手前、すなわち係合解除板２４の差し込み方向の反対側に設けておく。
【００３１】
すると、間隙Ｓに薄い帯板を差し込んで係止孔２１と係止片２２との係合解除をはかろうとしても、図３に示す関係により差し込む帯板の差し込み先行端が突部５１に衝突して差し込みを防止するので、係止孔２１と係止片２２との係合解除ができず、盗難防止に役立つ。
【００３２】
係止片２２と係止孔２１との係合解除に際しては、例えばレンタル店の場合、カウンタ内で店員により突部５１の衝突回避部５２付の係合解除板２４を用いる。
【００３３】
上記の衝突回避部５２は、図示の場合係合解除板２４の差し込み先行端から内方にスリットを入れて設け、係合解除板２４の差し込みにともない図１４に示すように突部５１がスリットに嵌入して係合解除板２４の差し込みが阻害されず、第２の実施形態と同様に係止孔２１と係止片２２との係合関係が解除されて、係合板２４を引き抜くことができる。
【００３４】
なお、図１６に示すように、衝突回避部５２を溝状にしておくと、係合解除板２４の差し込み先行縁のつながら（スリットでないため）によって係止片２２の押し戻しがスムーズに（すなわち、スリットの開放コーナーと係止片２２の引っかかりがないため）なる。
【００３５】
また、係止孔２１を凹入状にすることにより外部からの杆などによる係止片２２の押し戻しが防止でき、さらに係合板１９を不透明な材料で形成すると、係止孔２１と係止片２２の係合位置が見えない。
【００３６】
この発明の第４の実施形態では、図１７、１９に示すように係合板１９の係止片２２の係止孔を上下面が開放する貫通孔３１にする。
【００３７】
この貫通孔３１には、係合板１９の差し込み終了時に第２の実施形態と同様に係止片２２の先端部が嵌り込み係合して係合板１９の抜き取りが阻止され、その結果係合板１９と係合溝１８との関係により蓋体１３の開放阻止がはかられる。
【００３８】
３２は、並列係合溝１８、１８間に嵌入する棒状の嵌入部材で、この嵌入部材３２の嵌入先行面（図示省略）には、嵌入部材３２の嵌入終了時点に貫通孔３１に（それぞれの）嵌入して（図１８、図１９に示す）貫通孔３１から係止片２２を脱出（貫通孔３１と係止片２２との係合関係を解除する）させる突起３３が設けてある。上記の貫通孔３１は、図示のストレートに限定されず、突起の嵌入側を小径に、係止片の嵌入側を大径にすることもある。
【００３９】
すると、嵌入部材３２と係合板１９を図２０に示すように係合溝１８から抜き取って蓋体１３を開放させることができる。
【００４０】
なお、突起３３の突出長さを、図１９に示すように貫通孔３１に突起３３を嵌入した際、突起３３の下面と係合板１９の下面（貫通孔３１の図示下縁とを）と同レベルにしてあるので、脱出させる係止片２２と突起３３との引っかかりがない。
【００４１】
上記嵌入部材３２の使用は、例えばレンタル店の場合、カウンタ内で店員が用いる。
【００４２】
なお、各実施形態のケースＡの外側周壁１２及び内側周壁１６の両側辺壁の上下コーナー部を除く間を欠除（図示省略）させることもある。
【００４３】
その要因は、商品の収納ケースをこの発明のケースＡに収納して、欠除部により収納ケースの存在を知らせることができる。
【００４４】
勿論、収納ケースは、両側の上下コーナー部により抜き取りが阻止される。
【００４５】
上記の欠除部は、透明なケースの場合外側周壁１２、内側周壁１６の片方、両方であってもよい。
【００４６】
【発明の効果】
この発明に係る盗難防止機能付のケースは、以上のように構成してあるので、係合板の嵌入や嵌合部材の嵌装によりケースの開放が阻止され、ケースから商品を取り出すための係合板や嵌合部材の抜き取り操作によってちゅうちょさせる。
このため、商品の盗難防止に効果がある。
【００４７】
また、係合解除板の挿入により係止孔と係止片との係合関係の解除、嵌入部材の突起の押し込みにより貫通孔と係止片との係合関係の解除を行なうので、なお一層すぐれた盗難防止機能を発揮することができる。
【図面の簡単な説明】
【図１】この発明の第１実施形態のケースの斜視図
【図２】同上の要部を示す斜視図
【図３】開放阻止を示す縦断側面図
【図４】第２の実施形態の斜視図
【図５】同斜視図
【図６】係合関係を示す縦断正面図
【図７】係合解除を示す縦断正面図
【図８】他の係合解除板の斜視図
【図９】係合解除を示す縦断正面図
【図１０】引き抜きを示す縦断正面図
【図１１】間隙の形成手段の一例を示す正面図
【図１２】第３の実施形態を示す一部切欠斜視図
【図１３】係合板の斜視図
【図１４】係合関係を示す縦断正面図
【図１５】係合解除を示す縦断正面図
【図１６】衝突回避部の他の例を示す縦断正面図
【図１７】第４の実施形態の斜視図
【図１８】係合解除を示す縦断正面図
【図１９】同上の縦断側面図
【図２０】引き抜きを示す縦断正面図
【図２１】従来品の斜視図
【符号の説明】
Ａ            ケース
１１、１５    側壁
１２          外側周壁
１３          蓋体
１４          ヒンジ
１６          内側周壁
１７          箱体
１８          係合溝
１９          係合板
２１          係止孔
２２          係止片
２３          スリット
２４          係合解除板
３１          貫通孔
３２          嵌入部材
３３          突起
５１          突部
５２          衝突回避部
Ｓ            間隙
【図１】
0003540637.tif 000002
【図２】
0003540637.tif 000003
【図３】
0003540637.tif 000004
【図４】
0003540637.tif 000005
【図５】
0003540637.tif 000006
【図６】
0003540637.tif 000007
【図７】
0003540637.tif 000008
【図８】
0003540637.tif 000009
【図９】
0003540637.tif 000010
【図１０】
0003540637.tif 000011
【図１１】
0003540637.tif 000012
【図１２】
0003540637.tif 000013
【図１３】
0003540637.tif 000014
【図１４】
0003540637.tif 000015
【図１５】
0003540637.tif 000016
【図１６】
0003540637.tif 000017
【図１７】
0003540637.tif 000018
【図１８】
0003540637.tif 000019
【図１９】
0003540637.tif 000020
【図２０】
0003540637.tif 000021
【図２１】
0003540637.tif 000022